(57)【要約】  【課題】  被覆体の端部の形態を一定のものとさせ得る。【解決手段】管用治具１０は、本体部２０と、掛かり合い部２２とを備える。本体部２０は、管５０の表面において管５０の管軸方向に沿って配置される。掛かり合い部２２は、管５０の端に引っ掛けられる。本体部２０には、指標部３０が形成されている。指標部３０は、掛かり合い部２２を管５０の端に引っ掛けたときに管５０の露出した部分の長さが所定の長さとなっているか否かを見比べるためのものである。本体部２０のうち少なくとも指標部３０の周囲が透明である。指標部３０が着色されていることにより、指標部３０と指標部３０の周囲との境界が視認可能である。【選択図】  図１
2010281401.tif 000002
【特許請求の範囲】
【請求項１】
被覆体によって被覆されている管から前記被覆体のうち前記管の端を覆う部分を除去したとき、この除去によって前記管の露出した部分の長さが所定の長さとなったか否かを視認するための管用治具であって、
前記管の表面において前記管の管軸方向に沿って配置され、かつ、前記管軸方向に沿って配置されたとき、前記管と前記被覆体とに対向する本体部と、
前記本体部から突出して前記管の端に引っ掛けられる掛かり合い部とを備え、
前記本体部には、前記掛かり合い部を前記管の端に引っ掛けたときに前記管の露出した部分の長さが前記所定の長さとなっているか否かを見比べるための指標部が形成されており、
前記本体部のうち少なくとも前記指標部の周囲が透明であり、
前記指標部が着色されていることにより、前記指標部と前記指標部の周囲との境界が視認可能であり、
前記指標部が線状部分を有していることを特徴とする、管用治具。
【請求項２】
前記線状部分が、前記管の管軸方向に直交し、かつ、前記管の外径に等しい幅の直線部分であることを特徴とする、請求項１に記載の管用治具。
【請求項３】
前記本体部に、前記被覆体に対して印を付す道具を通すための貫通穴が設けられていることを特徴とする、請求項１に記載の管用治具。
【発明の詳細な説明】
【技術分野】
【０００１】
本発明は、管用治具に関し、特に、継手に管を挿入するために用いられる管用治具に関する。
【背景技術】
【０００２】
フレキシブル管とは、山部と谷部とが管軸方向へ交互に並設されることで外周部が形成されている管のことである。これら山部と谷部とは、円周方向全周に延びている。通常の場合、フレキシブル管の外周部は、被覆体によって被覆されている。このフレキシブル管を継手に接続するための方法の一種として、その先端部の被覆体を除去し、継手に挿入するというものがある。この方法によってフレキシブル管を継手に接続する場合、フレキシブル管の先端部を継手の中に十分挿入することと、被覆体が必要以上に除去されないこととが重要である。フレキシブル管の先端部が継手の中に十分挿入されていない場合、フレキシブル管および継手はそれらの性能を十分に発揮できなくなる。フレキシブル管のうち継手の中に入らない部分まで被覆体が除去されてしまうと、その部分の耐久性が著しく低下してしまう。そこで、先端部の被覆を的確な長さとなるように剥離するための治具が提案されている。
【０００３】
特許文献１は、フレキシブル管用治具を開示する。この治具は、掛かり合い部と、本体部とを備える。掛かり合い部は、フレキシブル管の先端部に掛かり合う。本体部は、フレキシブル管の外面に沿ってこのフレキシブル管の長さ方向に配置される。本体部には、貫通孔部が形成されている。この貫通孔部を通して、フレキシブル管の表面を被覆する被覆体の表面に印を記入することができる。この貫通孔部の先端は、フレキシブル管の正規の山数分だけ取り除かれた被覆体の端部の位置においても開口している。
【０００４】
特許文献２は、フレキシブル管用治具を開示する。この治具は、掛かり合い部と、本体部とを備える。掛かり合い部は、フレキシブル管の先端部に掛かり合う。本体部は、フレキシブル管の外面に沿ってこのフレキシブル管の長さ方向に配置される。本体部には、軸方向から周方向へＬ字状に曲折する貫通孔部が形成されている。この貫通孔部を通して、フレキシブル管の表面を被覆する被覆体の表面に印を記入することができる。
【０００５】
特許文献１および特許文献２に開示された発明によると、フレキシブル管の所定の位置に、簡単かつ正確に印を記入することができる。
【先行技術文献】
【特許文献】
【０００６】
【特許文献１】特開２００１−１０８１７３号公報
【特許文献２】特開２００２−２７６８６５号公報
【発明の概要】
【発明が解決しようとする課題】
【０００７】
しかしながら、特許文献１および特許文献２に開示されたフレキシブル管用治具では、被覆体の端部の形態について何ら配慮されていないという問題があった。
【０００８】
本発明は、このような問題点を解消するためになされたものであり、その目的とするところは、被覆体の端部の形態を一定のものとさせ得る管用治具を提供することにある。
【課題を解決するための手段】
【０００９】
図面を参照して本発明の管用治具を説明する。なお、この欄で図中の符号を使用したのは、発明の内容の理解を助けるためであって、内容を図示した範囲に限定する意図ではない。
【００１０】
上記目的を達成するために、本発明のある局面に従うと、管用治具１０は、被覆体５２によって被覆されている管５０から被覆体５２のうち管５０の端を覆う部分を除去したとき、この除去によって管５０の露出した部分の長さが所定の長さか否かを視認するためのものである。管用治具１０は、本体部２０と、掛かり合い部２２とを備える。本体部２０は、管５０の表面において管５０の管軸方向に沿って配置される。本体部２０は、管軸方向に沿って配置されたとき、管５０と被覆体５２とに対向する。掛かり合い部２２は、本体部２０から突出して管５０の端に引っ掛けられる。本体部２０には、指標部３０が形成されている。指標部３０は、掛かり合い部２２を管５０の端に引っ掛けたときに管５０の露出した部分の長さが所定の長さとなっているか否かを見比べるためのものである。本体部２０のうち少なくとも指標部３０の周囲が透明である。指標部３０が着色されていることにより、指標部３０と指標部３０の周囲との境界が視認可能である。指標部３０が線状部分を有している。
【００１１】
本体部２０のうち少なくとも指標部３０の周囲が透明で、指標部３０が着色されていることによりそれらの境界が視認可能なので、端の部分が露出している管５０の端に掛かり合い部２２が引っ掛けられたとき、管５０の露出した部分の長さが所定の長さとなっているか否かを容易に見比べることができる。その際、指標部３０が線状部分を有しているので、被覆体５２の端とその線状部分とを見比べることにより、被覆体５２の端部の形態が一定のものとなっているか否かが明確化される。その結果、被覆体５２の端部の形態を一定のものとさせ得る管用治具１０を提供することができる。
【００１２】
また、上述した線状部分が、管軸方向に対して直交し、かつ、管５０の外径に等しい幅の直線部分であることが望ましい。被覆体５２の端とこの直線部分とを見比べることにより、被覆体５２の端部の形態が管５０の管軸方向に対して直交するまっすぐなものとなっているか否かが明確化される。管５０の外径とこの直線部分の幅とを見比べることにより、管５０の露出した部分の長さが本当に所定の長さとなっているか確認することができる。
【００１３】
また、上述した本体部２０に貫通孔３２が設けられていることが望ましい。この場合、貫通孔３２は被覆体５２に対して印を付す道具を通すためのものである。
【発明の効果】
【００１４】
本発明によれば、被覆体の端部の形態を一定のものとさせ得る。
【図面の簡単な説明】
【００１５】
【図１】本発明の実施形態にかかる管用治具の斜視図である。
【図２】本発明の実施形態にかかる管用治具の使用状況を示す図である。
【発明を実施するための形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１および図２を参照して、本実施形態にかかる管用治具１０の構成について説明する。本実施形態にかかる管用治具１０は、本体部２０と、掛かり合い部２２とを備える。
【００１８】
本体部２０は、フレキシブル管５０の表面においてその管軸方向に配置される。本体部２０は、フレキシブル管５０の管軸方向に沿って配置されたとき、フレキシブル管５０と被覆体５２とに対向する。本実施形態において、本体部２０は湾曲している。本実施形態において、本体部２０全体が透明である。
【００１９】
本体部２０には、指標部３０と貫通孔３２とが形成されている。本実施形態において、指標部３０と貫通孔３２とは、それぞれ複数箇所に形成されている。貫通孔３２の傍には、フレキシブル管５０のサイズ３４が表示されている。
【００２０】
本実施形態の場合、指標部３０は、掛かり合い部２２から指標部３０までの長さが次に述べる長さであることを示す。その長さとは、フレキシブル管５０における山部と山部との間隔の８倍の長さである。当然、フレキシブル管５０のサイズに応じてその長さは異なる。このため、複数の指標部３０が形成されており、かつ、その傍にフレキシブル管５０のサイズ３４が表示されている。掛かり合い部２２から指標部３０までの長さを山部と山部との間隔の８倍としたのは、フレキシブル管５０が接続される継手（図示せず）の構造に応じて定められている。掛かり合い部２２から指標部３０までの長さが山部と山部との間隔の８倍に足りなければ、フレキシブル管５０の先端を継手の奥まで十分挿入することができない。掛かり合い部２２から指標部３０までの長さが山部と山部との間隔の８倍を十分に上回っていれば、フレキシブル管５０の先端を継手の奥まで挿入したとき、フレキシブル管５０のうち被覆体５２が除去された部分が継手の外に露出してしまう。掛かり合い部２２から指標部３０までの長さを山部と山部との間隔の８倍としたのはこのような事情による。従って、継手の大きさや構造が上述したものと異なれば、掛かり合い部２２から指標部３０までの長さも、山部と山部との間隔の８倍でなくてよくなる。
【００２１】
本実施形態において、指標部３０は、本体部２０の表面に書かれた直線である。本実施形態において、指標部３０はフレキシブル管５０の管軸方向に対して直交している。ただし、ここで言う「直交」は、正確な意味での直交だけでなく、人が肉眼で認識できない程度の誤差がある場合を含む。本実施形態において、指標部３０は不透明となるように着色されている。本実施形態において、指標部３０の長さはいずれも同一である。
【００２２】
貫通孔３２は、いずれも本体部２０を貫通している。本実施形態において、貫通孔３２はいずれもＬ字型の孔である。ただし、貫通孔３２の形状は特に限定されるべきものではない。
【００２３】
掛かり合い部２２は、本体部２０から突出している。本実施形態において、掛かり合い部２２の形状は円弧状である。本実施形態にかかる管用治具１０を使用する際、掛かり合い部２２は、フレキシブル管５０の一端に引っ掛けられる。
【００２４】
本実施形態にかかるフレキシブル管５０の接続方法について説明する。まず、本実施形態にかかるフレキシブル管５０を接続する作業者（以下、単に「作業者」と称する。）は、フレキシブル管５０を適切な長さに切断する。それが終わると、作業者は、被覆体５２のうち、フレキシブル管５０の先端部付近を覆うものを除去する。この際に除去される被覆体５２の長さは、作業者の判断に任される。
【００２５】
被覆体５２が除去されると、作業者は、フレキシブル管５０に管用治具１０をあてる。管用治具１０の掛かり合い部２２は、フレキシブル管５０の先端の切断面に引っ掛けられる。このとき、作業者は、次に述べる要件が満たされているか否かを確認する。第１の要件は、被覆体５２の端の位置と指標部３０の位置とが一致しているという要件である。第２の要件は、被覆体５２の端が指標部３０すなわち本体部２０に書かれた直線と平行になっているという要件である。
【００２６】
フレキシブル管５０の先端の切断面に管用治具１０が引っ掛けられると、作業者は、貫通孔３２から露出した被覆体５２に印を記入する。本実施形態の場合、図示しないフェルトペンをその貫通孔３２に通してその印を記入する。複数ある貫通孔３２のうちどの穴にフェルトペンを通すかということはフレキシブル管５０のサイズに応じて定まる。上述したように、貫通孔３２の傍にはフレキシブル管５０のサイズ３４が表示されている。さらに、本体部２０が透明なので、作業者が十分な作業経験を積んでいるならば、その作業者は、本体部２０を通してフレキシブル管５０を視認できる。フレキシブル管５０視認できるので、作業者は、フレキシブル管５０のサイズを誤認していないか確認できる。
【００２７】
確認作業が終了すると、作業者は、フレキシブル管５０の先端部を図示しない公知の継手の中に挿入する。記入された印は、フレキシブル管５０を継手に接続する際、フレキシブル管５０が継手の奥へ十分に挿入されているか否かの判断に用いられる。
【００２８】
以上のようにして、本実施形態にかかる管用治具１０は、被覆体５２を剥離した後、本体部２０を通して被覆体５２の切断面の形態を視認できる。そのような視認ができるので、被覆体５２の端部の形態を一定のものとさせ得る。また、本実施形態にかかる管用治具１０は、指標部３０が直線部分を有し、かつ、その直線部分がフレキシブル管５０の管軸方向に対して直交しているので、次に述べる２つの点を容易に明確化できる。１つ目の点は、被覆体５２の端がまっすぐに切れているか否かという点である。２つ目の点は、フレキシブル管５０の管軸方向に対して被覆体５２の端が直交しているか否かという点である。
【００２９】
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００３０】
たとえば、本体部２０は、全体が透明である必要がない。たとえば、指標部３０の周りだけが透明であってもよい。これでも、上述したようなことは容易に視認できる。指標部３０の周りだけを透明とするためには、透明な素材によって本体部２０を形成し、指標部３０の周り以外の部分に色を塗って不透明とすればよい。
【００３１】
また、指標部３０は、不透明な直線に限られない。たとえば、上述したような指標部３０に代え、透明ではあるが色がついているものが本体部２０に書かれていてもよい。
【００３２】
また、指標部３０は、直線部分を有していなくともよい。たとえば、指標部３０の形状は、波線状であってもよい。さらに、指標部３０が有する直線部分は、フレキシブル管５０の管軸に対して傾いていてもよい。
【００３３】
また、指標部３０が有する直線部分の幅は、フレキシブル管５０の外径と等しくてもよい。ここで言う「等しい」とは、人が肉眼で認識できない程度の誤差がある場合を含む。このようになっていると、作業者は、フレキシブル管５０に管用治具１０をあてたとき、その直線部分の幅とフレキシブル管５０の外径とが一致しているか否かを判断できる。それが判断できると、複数ある指標部３０の中から不適切なものを用いてフレキシブル管５０の露出した部分の長さが所定の長さとなっているか否かを容易に判断できる。
【００３４】
また、フレキシブル管５０のサイズ３４は、本体部２０ではなく、掛かり合い部２２に表示されていてもよい。掛かり合い部２２にサイズ３４が表示される場合、管用治具は、１種類のフレキシブル管５０にのみ使用可能な形態となっていることが望ましい。すなわち、この場合、指標部３０と貫通孔３２とサイズ３４との表示は１種類だけであることが望ましい。ただし、どの指標部３０と貫通孔３２とがどのサイズのフレキシブル管５０に適合しているかを本体部２０あるいは掛かり合い部２２に表示すれば、複数の種類のフレキシブル管５０に対して１つの管用治具を用いることは可能である。
【符号の説明】
【００３５】
１０  管用治具
２０  本体部
２２  掛かり合い部
３０  指標部
３２  貫通孔
３４  サイズ
５０  フレキシブル管
５２  被覆体
【図１】
2010281401.tif 000003
【図２】
2010281401.tif 000004